(57)【要約】【課題】光学部品ホルダが円滑に移動できて精度を高くできるピックアップ装置を提供すること。【解決手段】係合部材９は、レンズホルダ６に固定された一端部９Ａと、送りねじ軸１６の周面に螺合された他端部９Ｂと、これらの他端部９Ｂと一端部９Ａとの間に設けられ他端部９Ｂを送りねじ軸１６の周面に向けて付勢する板状本体９Ｃとを備え、レンズホルダ６は一方のガイド軸７を案内する第１ガイド部１２Ａと他方のガイド軸８を案内する摺動部材１３とを備え、第１ガイド部１２Ａは、その両端部で一方のガイド軸７を支持し、係合部材の他端部９Ｂにおいて送りねじ軸１６の軸線上に位置する点を力点Ｄとし、摺動部材１３において他方のガイド軸８の軸線上に位置する点を支点Ｃとし、第１ガイド部１２Ａにおいて一方のガイド軸７の軸線上に位置する点をそれぞれ作用点Ａ，Ｂとすると、力点Ｄと支点Ｃとを結ぶ線分Ｍは送りねじ軸１６の軸方向と直交する構成とした。【選択図】  図３
2006107587.tif 000002
【特許請求の範囲】
【請求項１】
対物レンズと、この対物レンズを通して情報記録媒体にレーザ光を照射するレーザ光源と、前記対物レンズが取り付けられるピックアップ本体と、このピックアップ本体側に固定され前記レーザ光の光軸上に配置された複数の固定光学部品と、これらの固定光学部品の中において前記レーザ光の光軸に沿って移動可能に配置された可動光学部品と、この可動光学部品を保持する光学部品ホルダと、この光学部品ホルダを前記可動光学部品の光軸に沿って進退可能に支持する一対のガイド軸と、前記光学部品ホルダを係合部材を介して進退動させるとともに前記一対のガイド軸と並んで平行配置された送りねじ軸とを備え、
前記係合部材は、前記光学部品ホルダに固定された一端部と、前記送りねじ軸の周面に螺合された他端部と、この他端部と前記一端部との間に設けられ前記他端部を前記送りねじ軸の周面に向けて付勢する本体とを備え、
前記光学部品ホルダは前記一対のガイド軸のうち一方のガイド軸を案内する第１ガイド部と他方のガイド軸を案内する第２ガイド部とを備え、前記第１ガイド部は、その両端部で前記一方のガイド軸を支持し、
前記係合部材の他端部において送りねじ軸の軸線上に位置する点を力点とし、前記第２ガイド部において前記他方のガイド軸の軸線上に位置する点を支点とし、前記第１ガイド部において前記一方のガイド軸の軸線上に位置する点をそれぞれ作用点とすると、前記力点と前記支点とを結ぶ線分は前記送りねじ軸の軸方向と直交する、
ことを特徴としたピックアップ装置。
【請求項２】
レーザ光の光軸に沿って移動可能に配置された第１の光学部品と、
前記第１の光学部品を保持する光学部品ホルダと、
前記光学部品ホルダを前記レーザ光の光軸に沿って進退可能に支持する一対のガイド軸と、
前記光学部品ホルダを、係合部材を介して進退動させるとともに前記一対のガイド軸と並んで平行配置された送りねじ軸とを備え、
前記係合部材は、前記光学部品ホルダに固定された一端部と、前記送りねじ軸の周面に
螺合された他端部と、この他端部と前記一端部との間に設けられ前記他端部を前記送りねじ軸の周面に向けて付勢する本体とを備え、
前記光学部品ホルダは前記一対のガイド軸のうち一方のガイド軸を案内する第１ガイド部と、他方のガイド軸を案内する第２ガイド部とを備え、前記第１ガイド部は、その両端部で前記一方のガイド軸を支持し、
前記係合部材の他端部において送りねじ軸の軸線上に位置する点を力点とし、前記第２ガイド部において前記他方のガイド軸の軸線上に位置する点を支点とし、前記第１ガイド部において前記一方のガイド軸の軸線上に位置する点をそれぞれ作用点とすると、前記力点と前記支点とを結ぶ線分は前記送りねじ軸の軸方向と略直交する、
ことを特徴としたピックアップ装置。
【請求項３】
請求項１又は２に記載されたピックアップ装置において、
前記作用点は前記第１ガイド部の両端部にそれぞれ１つづつ設けられ、前記力点と支点とを結ぶ線分は前記２つの作用点を結ぶ線分と直交するとともに、この交点と前記２つの作用点とは略同一の距離にある、
ことを特徴としたピックアップ装置。
【請求項４】
請求項１から３のいずれかに記載されたピックアップ装置において、
前記第１ガイド部と前記第２ガイド部とは連結部で連結され、この連結部はＬ字型に形成されている、
ことを特徴としたピックアップ装置。
【請求項５】
請求項１から４のいずれかに記載されたピックアップ装置において、
前記一方のガイド軸は前記光学部品ホルダの摺動を確保する主軸であり、前記他方のガイド軸は前記光学部品ホルダの姿勢を維持するための副軸である、
ことを特徴としたピックアップ装置。
【請求項６】
請求項１から５のいずれかに記載されたピックアップ装置を備えた、
ことを特徴とした記録媒体駆動装置。
【発明の詳細な説明】
【技術分野】
【０００１】
本発明はピックアップ装置および記録媒体駆動装置に関する。
【背景技術】
【０００２】
従来、ディスク状の情報記録媒体を記録および／または再生する機構としてピックアップ装置が用いられている。
ピックアップ装置は、ディスク状の情報記録媒体に対向配置される対物レンズと、この対物レンズを通して情報記録媒体にレーザ光を照射するレーザ光源と、対物レンズが取り付けられるピックアップ本体とを備え、このピックアップ本体に複数の光学部品、例えば、レンズやプリズムを固定配置した構造である。
【０００３】
このピックアップ装置では、ディスク状の情報記録媒体の基板厚みの誤差に伴って対物レンズの球面収差が発生するという不都合が生じたり、ディスク状の情報記録媒体が多層ディスクからなる場合、その層間厚み誤差に伴って球面収差が発生するという不都合が生じることがある。
そのため、上述の球面収差を打ち消すための球面収差を発生させることで、ディスク状情報記録媒体の基板厚み誤差や多層ディスクの層間厚み誤差を補正して前述の不都合を回避している。特に、この誤差補正はブルーレイ対応の記録媒体駆動装置では重要となる。
この誤差を補正する手段として、従来では、対物レンズとレーザ光源との間の光軸上に液晶素子を配置して球面収差を発生させる球面収差補正機構の従来例１（例えば、特許文献１）や、ピックアップ本体に固定したレンズ群の中に可動レンズを配置し、この可動レンズを光軸に沿って移動させて球面収差を発生させる従来例２がある。
【０００４】
従来例２が図１および図２に示されている。図１は従来例の概略構成を示す平面図であり、図２は図１の要部断面図である。
図１および図２において、従来例２のピックアップ装置は、それぞれ図示しないレーザ光源、対物レンズ、この対物レンズとレーザ光源との光軸上に配置された複数の固定光学部品がピックアップ本体にそれぞれ固定されている。
これらの固定光学部品の間には可動レンズ１０３が光軸同士を一致するように配置されており、この可動レンズ１０３はレンズホルダ１０４に保持されて光軸方向に沿って移動可能とされている。
【０００５】
レンズホルダ１０４は、可動レンズ１０３を保持するホルダ本体１０５と、このホルダ本体１０５の両側に設けられたガイド部１０６とを含むものであり、これらが合成樹脂で一体形成されている。これらのガイド部１０６は、可動レンズ１０３の光軸に沿って進退可能に主軸１０７を支持する第１ガイド部１０６Ａと、副軸１０８に支持される第２ガイド部１０６Ｂとから構成されている。第１ガイド部１０６Ａは、その両端部に軸受け１１３を備え、これらの軸受け１１３で主軸１０７を支持する。
レンズホルダ１０４は係合部材１０９を介して駆動機構１１０で進退されるものであり、この駆動機構１１０は、送りねじ軸１１１と、この送りねじ軸１１１を正逆方向に回転させるステッピングモータ１１２とを備えている。
このステッピングモータ１１２が作動されると、レンズホルダ１０４で保持された可動レンズ１０３が球面収差量に応じたストローク量だけ前進または後退し、これにより、球面収差が補正される。
【０００６】
係合部材１０９は、第１ガイド部１０６Ａに固定される一端部１０９Ａと、送りねじ軸１１１の周面に螺合された他端部１０９Ｂと、この他端部１０９Ｂと一端部１０９Ａとの間に設けられ他端部１０９Ｂを送りねじ軸１１１の周面に向けて付勢する本体１０９Ｃとが一体に形成された構造である。
従来例２では、係合部材１０９の他端部１０９Ｂにおいて送りねじ軸１１１の軸線上に位置する点Ｄが力点として機能し、第２ガイド部１０６Ｂにおいて副軸１０８の軸線上に位置する点Ｃが支点として機能し、第１ガイド部１０６Ａの両端部において主軸１０７の軸線上に位置する点Ａ，Ｂがそれぞれ作用点として機能することになる。つまり、係合部材１０９の付勢力により、点Ｄが付勢荷重ポイントとなり、係合部材１０９の反力が支点Ｃを介して作用点Ａ，Ｂに伝達され、第１ガイド部１０６Ａが浮き上がることになる。
【０００７】
【特許文献１】特開２００４−１９２７１９号公報
【発明の開示】
【発明が解決しようとする課題】
【０００８】
特許文献１等で示される従来例１では、液晶素子を用いた球面収差補正機構は、対物レンズとの芯ずれに弱いので、対物レンズと同じアクチュエータ駆動部に液晶素子が一体に固定されている。一般に、ピックアップ装置で搭載される液晶素子はガラス薄膜２枚で挟まれており、数十ｍｇの重さがある。この重さはアクチュエータ駆動部にとって無視できないものであり、感度が不足して高倍速化に対応できないという課題が一例として挙げられる。
図１および図２で示される従来例２では、送りねじ軸１１１の軸心と直交するとともに力点Ｄを通る線分ＭＤと、送りねじ軸１１１の軸心と直交するとともに支点Ｃを通る線分ＭＣとは寸法Ｘだけ離れている。
そのため、２つの作用点Ａ，Ｂで生じる力ＦＡ，ＦＢは、図２で示される通り、大きさが異なるので、２個の軸受け１１３の片減りやコジリが生じることになり、レンズホルダ１０６が円滑に移動することができないという課題が一例として挙げられる。
【０００９】
本発明は、光学部品ホルダが円滑に移動できて精度を高くできるピックアップ装置および記録媒体駆動装置を提供することを１つの目的とする。
【課題を解決するための手段】
【００１０】
請求項１に記載された発明は、対物レンズと、この対物レンズを通して情報記録媒体にレーザ光を照射するレーザ光源と、前記対物レンズが取り付けられるピックアップ本体と、このピックアップ本体側に固定され前記レーザ光の光軸上に配置された複数の固定光学部品と、これらの固定光学部品の中において前記レーザ光の光軸に沿って移動可能に配置された可動光学部品と、この可動光学部品を保持する光学部品ホルダと、この光学部品ホルダを前記可動光学部品の光軸に沿って進退可能に支持する一対のガイド軸と、前記光学部品ホルダを係合部材を介して進退動させるとともに前記一対のガイド軸と並んで平行配置された送りねじ軸とを備え、前記係合部材は、前記光学部品ホルダに固定された一端部と、前記送りねじ軸の周面に螺合された他端部と、この他端部と前記一端部との間に設けられ前記他端部を前記送りねじ軸の周面に向けて付勢する本体とを備え、前記光学部品ホルダは前記一対のガイド軸のうち一方のガイド軸を案内する第１ガイド部と他方のガイド軸を案内する第２ガイド部とを備え、前記第１ガイド部は、その両端部で前記一方のガイド軸を支持し、前記係合部材の他端部において送りねじ軸の軸線上に位置する点を力点とし、前記第２ガイド部において前記他方のガイド軸の軸線上に位置する点を支点とし、前記第１ガイド部において前記一方のガイド軸の軸線上に位置する点をそれぞれ作用点とすると、前記力点と前記支点とを結ぶ線分は前記送りねじ軸の軸方向と直交する、ことを特徴としたピックアップ装置である。
【００１１】
請求項６に記載された発明は、請求項１から５のいずれかに記載されたピックアップ装置を備えた、ことを特徴とした記録媒体駆動装置である。
【発明を実施するための最良の形態】
【００１２】
以下、本発明の一実施形態を図面に基づいて説明する。図３は、本実施形態のピックアップ装置の概略構成を示す平面図であり、図４は図３中IV-IV線に沿う矢視図である。
【００１３】
［ピックアップ装置の構成］
図３および図４において、１は、ピックアップ装置である。ピックアップ装置１は、光学式の情報記録媒体である例えばＣＤやＤＶＤ、ブルーレイなどの光ディスクを記録および／または再生する装置である。従って、ピックアップ装置１は、例えばこれらの光学式の情報記録媒体を記録および／または再生する記録媒体駆動装置の内部に組み込まれている。
【００１４】
このピックアップ装置１は、ピックアップ本体２を備え、このピックアップ本体２には図示しない対物レンズと、この対物レンズを通して光ディスクにレーザ光を照射するレーザ光源３と、レーザ光の光軸上にそれぞれ配置された複数の固定光学部品４とが取り付けられている。これらの固定光学部品４は、レンズ、プリズム、反射鏡などから構成されている。
これらの固定光学部品４のうち一対の固定光学部品４の間には可動光学部品および第１の光学部品としての可動レンズ５が光軸Ｌに沿って移動可能に配置されている。
この可動レンズ５は光学部品ホルダとしてのレンズホルダ６に保持されており、このレンズホルダ６は互いに平行に配置された一対のガイド軸７，８に可動レンズ５の光軸方向に沿って進退可能に支持されている。レンズホルダ６は係合部材９を介して駆動機構１０で進退動される。
ここで、本実施形態では、可動レンズ５、レンズホルダ６、ガイド軸７，８、係合部材９および駆動機構１０から、ディスクの基板厚み誤差により発生する球面収差を打ち消すための球面収差を発生させて、対物レンズに発生する球面収差を補正する補正機構が構成される。
【００１５】
レンズホルダ６は、可動レンズ５を保持するホルダ本体１１と、このホルダ本体１１に設けられたガイド部１２とを有するものであって、アルミダイキャストから一体に形成された構造である。
ホルダ本体１１は、略平板状に成形されたものであり、その内部に形成された円孔部に可動レンズ５が嵌合されている。
ガイド部１２は、一方のガイド軸７を案内する第１ガイド部１２Ａと、他方のガイド軸８を案内する後述の摺動部材１３を一方に備えたコ字型先端部１２Ｂと、これらの第１ガイド部１２Ａと、コ字型先端部１２Ｂとを連結する平面略Ｌ型の連結部１２Ｃとから構成されている。
【００１６】
第１ガイド部１２Ａは、その長手方向が一方のガイド軸７の軸方向に沿って形成された略直方体状に形成されており、その軸心に沿って一方のガイド軸７が挿通される孔部（図示せず）が形成されている。この孔部の両端部には、一方のガイド軸７を回転自在に支持するメタル軸受け１２Ｄがそれぞれ設けられている。第１ガイド部１２Ａの一端部側にホルダ本体１１が配置されている。
コ字型先端部１２Ｂは、一対の先端部からコ字型開口が形成されており、その一対の先端部のうち一方には、他方のガイド軸８をガイドする合成樹脂製の摺動部材１３が設けられている。
【００１７】
一方のガイド軸７は、レンズホルダ６の位置決め及び摺動を主に確保する主軸である。主軸は、金属製の円柱部材から形成され、その両端部がピックアップ本体２に固定されている。他方のガイド軸８はレンズホルダ６の姿勢を維持するための副軸である。副軸は、金属製の円柱部材から形成され、その両端部がピックアップ本体２に固定されている。
これらの主軸および副軸は、それぞれ可動レンズ５の光軸Ｌと平行に配置されている。
駆動機構１０は、ベース部１４と、このベース部１４に取り付けられたステッピングモータ１５と、このステッピングモータ１５に一端部が連結された送りねじ軸１６と、この送りねじ軸１６の先端部を回転自在に支持しベース部１４に固定された支持部１７とを備えて構成されている。
ベース部１４はねじ１８でピックアップ本体２に取り付けられている。
ステッピングモータ１５は、図示しない制御手段からの信号を受けて正逆方向に回転するものであり、このステッピングモータ１５の回転が送りねじ軸１６およびレンズホルダ６を介して可動レンズ５の進退として伝達される。
送りねじ軸１６は、一対のガイド軸７，８と平行に配置されている。これらのガイド軸７，８の間に駆動機構１０が配置されており、主軸である一方のガイド軸７を挟んで駆動機構１０とは反対側にホルダ本体１１が配置されている。
【００１８】
係合部材９は、レンズホルダ６に固定された一端部９Ａと、送りねじ軸１６の周面に螺合された係合突起が形成された他端部９Ｂと、この他端部９Ｂと一端部９Ａとの間に設けられた板状本体９Ｃとを備えた構造である。なお、この他端部９Ｂは、樹脂材料で形成される。
一端部９Ａは、その中心部がねじ１９で第１ガイド部１２Ａに取り付けられている。
他端部９Ｂは略直方体状に形成され板状本体９Ｃに支持される支持部９Ｂ１と、この支持部９Ｂ１の端面に設けられ送りねじ軸１６の周面に当接する係合突起９Ｂ２とから構成されている。
板状本体９Ｃは、一端部９Ａと一体に形成された金属板から形成されており、そのばね力により、係合突起９Ｂ２を送りねじ軸１６の周面に向けて付勢している。
【００１９】
ここで、図３において、主軸である一方のガイド軸７の軸心と２つのメタル軸受け１２Ｄの中心とをが重なる点をＡ，Ｂとし、副軸である他方のガイド軸８と摺動部材１３の中心とが重なる点をＣとし、係合部材９の一端部９Ａの中心と送りねじ軸１６の軸心上に位置する点をＤとすると、点Ａ，Ｂが作用点であり、Ｃが支点であり、点Ｄが力点（荷重付勢点）である。
本実施形態では、力点Ｄと支点Ｃとを結ぶ線分Ｍは送りねじ軸１６の軸方向と直交する。
力点Ｄと支点Ｃとを結ぶ線分Ｍは２つの作用点Ａ，Ｂを結ぶ線分Ｎと直交するとともに、この交点から２つの作用点Ａ，Ｂはそれぞれ同じ距離にある。つまり、点Ａ，Ｂ，Ｃで形成される三角形は二等辺三角形である。なお、上述の交点からこれら二つの作用点Ａ、Ｂまでの距離は、略同一の距離でもよい。本発明でいう「略同一」とは、製造過程で生じてしまう製造誤差などの誤差を加味する意図であり、本発明の効果を奏する以上は必ずしも全く同一の距離であることは要しない。従って例えば「略同一」とは、作用点ＡとＢとの長さに対して、ＡＢ間の中心から±１０％の範囲内に上述の交点が位置する場合を含むものとなる。
そのため、本実施形態では、図５に示される通り、係合部材９の板状本体９Ｃのばね力によってメタル軸受け１２Ｄおよび第１ガイド部１２Ａが浮き上がろうとする際、作用点である点Ａ，Ｂにかかる力ＦＡ，ＦＢは等しくなる。
【００２０】
摺動部材１３の具体的な構造が図６に示されている。
図６において、（Ａ）は摺動部材１３をある特定の方向から見た図であり、（Ｂ）、（Ｃ）及び（Ｄ）は（Ａ）を基準として、それぞれ矢印α、β、γ方向から見た図である。
図６において、摺動部材１３は、第２ガイド部１２Ｂの先端部に着脱自在に設けられた筒状本体１３Ａと、この筒状本体１３Ａに一体形成された係合片１３Ｂとが一体に形成された構造である。
筒状本体１３Ａは、略角筒状に形成されるものであって、ガイド軸８と対向する部分が湾曲して形成されており、その湾曲面上の一点でガイド軸８の周面と当接する。
係合片１３Ｂは、筒状本体１３Ａの深さ方向と平行な方向に延びて形成された略板状部材であり、その中心部には第２ガイド部１２Ｂに形成された突起部１２Ｅと係合する係合凹部１３Ｃが形成されている。
【００２１】
〔球面収差の補正〕
本実施形態では、制御手段からの信号を受けてステッピングモータ１５が所定方向に回転すると、ステッピングモータ１５に連結された送りねじ軸１６が回転し、この回転が係合部材９に伝達される。係合部材９はレンズホルダ６に取り付けられているため、レンズホルダ６がガイド軸７，８の長手方向に沿って前進又は後退し、レンズホルダ６に保持された可動レンズ５が光軸Ｌの上を前進又は後退する。この可動レンズ５が前進又は後退することで、ディスクの基板厚み誤差等により発生する球面収差を補正する。
【００２２】
〔ピックアップ装置の作用効果〕
（１）本実施形態のピックアップ装置１は、固定光学部品４の中においてレーザ光の光軸に沿って移動可能に配置された可動レンズ５と、この可動レンズ５を保持するレンズホルダ６と、このレンズホルダ６を可動レンズ５の光軸Ｌに沿って進退可能に支持する一対のガイド軸７，８と、レンズホルダ６を係合部材９を介して進退動させるとともに一対のガイド軸７，８と並んで平行配置された送りねじ軸１６とを備えて構成されている。そして、係合部材９は、レンズホルダ６に固定された一端部９Ａと、送りねじ軸１６の周面に螺合された他端部９Ｂと、これらの他端部９Ｂと一端部９Ａとの間に設けられ他端部９Ｂを送りねじ軸１６の周面に向けて付勢する板状本体９Ｃとを備え、レンズホルダ６は一方のガイド軸７を案内する第１ガイド部１２Ａと他方のガイド軸８を案内する第２ガイド部１２Ｂとを備え、第１ガイド部１２Ａは、その両端部で一方のガイド軸７を支持し、係合部材の他端部９Ｂにおいて送りねじ軸１６の軸線上に位置する点を力点Ｄとし、第２ガイド部１２Ｂにおいて他方のガイド軸８の軸線上に位置する点を支点Ｃとし、第１ガイド部１２Ａにおいて一方のガイド軸７の軸線上に位置する点をそれぞれ作用点Ａ，Ｂとすると、力点Ｄと支点Ｃとを結ぶ線分Ｍは送りねじ軸１６の軸方向と直交する構成であるので、第１ガイド部１２Ａにかかる作用点の中心が線分Ｍの上に位置することになるから、作用点Ａ，Ｂに生じる力は均等となる。そのため、第１ガイド部１２Ａの片減りやレンズホルダ６の進退方向の向きに起因して起こるコジリの差異が生じることがなくなり、レンズホルダ６が円滑に移動することが可能となる。
【００２３】
（２）作用点Ａ，Ｂは第１ガイド部１２Ａの両端部にそれぞれ１つづつ設けられ、力点Ｄと支点Ｃとを結ぶ線分Ｍは２つの作用点Ａ，Ｂを結ぶ線分Ｎと直交するとともに、この交点から２つの作用点Ａ，Ｂが同じ距離となるので、レンズホルダ６が前進から後退あるいは後退から前進に反転する際に、第１ガイド部１２Ａの両端部にかかる荷重が均等となる、この点からもレンズホルダ６の円滑な移動を確保することができる。
【００２４】
（３）一方のガイド軸７は主にレンズホルダ６の摺動を主に確保する主軸であり、他方のガイド軸８はレンズホルダ６の姿勢を維持するための副軸であるので、主軸の近傍に可動レンズ５が配置されることになる。そのため、仮に、ガイド軸７，８とレンズホルダ６との間に隙間があり、レンズホルダ６が進退動する際にガタが生じるとしても、主軸と可動レンズ５との距離が短いので、レンズホルダ６のガタが生じにくい。
【００２５】
（４）ガイド部１２の第１ガイド部１２Ａと第２ガイド部１２Ｂとを連結する連結部１２Ｃは平面略Ｌ型に形成されているので、この連結部１２Ｃと係合部材９の他端部９Ｂとが互いに干渉することなく配置される。そのため、ピックアップ装置１の小型化を図ることができる。
【００２６】
（５）本実施形態のピックアップ装置１は、この対物レンズを通して情報記録媒体にレーザ光を照射するレーザ光源３をピックアップ本体２に取り付け、このピックアップ本体２にレーザ光の光軸上に配置された複数の固定光学部品４を固定し、これらの固定光学部品４の中においてレーザ光の光軸に沿って移動可能な可動レンズ５を配置し、この可動レンズ５を保持するレンズホルダ６を一対のガイド軸７，８に沿って進退自在に支持し、レンズホルダ６を係合部材９を介して駆動機構１０で進退動させる構成である。そして、レンズホルダ６は、可動レンズ５を保持するホルダ本体１１と、ガイド軸７，８を案内するガイド部１２及び摺動部材１３とを備えた構成とし、これらのガイド軸７，８のうち一方のガイド軸７と他方のガイド軸８との間に駆動機構１０を配置し、ホルダ本体１１を一方のガイド軸７を挟んで駆動機構１０とは反対側に配置したから、駆動機構１０およびガイド軸７，８が複数の固定光学部品４から離隔されることになり、ピックアップ装置１のレイアウトの自由性が確保できる。
【００２７】
（６）レンズホルダ６はアルミダイキャストで一体成形された構造であるため、レンズホルダ６を軽量かつ高強度とすることができ、さらには温度変化による変形が小さいものとすることができる。そのため、可動レンズ５の進退動を迅速に行うことができるとともに、レンズホルダ６を長期に渡って使用することができる。
【００２８】
（７）ガイド部１２の他方のガイド軸８を案内する部分には樹脂製の摺動部材１３を設けたから、アルミ製のレンズホルダ６のガイド部１２がガイド軸８に直接摺接することがないので、摺動に際してレンズホルダ６が摩耗してアルミのカスが生じることがない。さらには、摺動部材１３を用いることにより、潤滑材を使用する必要はなくなり、コストの抑制にもつなげることができる。
【００２９】
（８）摺動部材１３は筒状本体１３Ａを備えているから第２ガイド部１２Ｂへの装着を容易に行うことができる。
【００３０】
（９）摺動部材１３は筒状本体１３Ａと一体に形成された係合片１３Ｂを備え、この係合片１３Ｂが第２ガイド部１２Ｂに係合可能とされているため、摺動部材１３が第２ガイド部１２Ｂに装着された状態では、突起部１２Ｅと摺動部材１３の係合凹部１３Ｃが係合することにより誤って抜けることを抑制できる。
【００３１】
（１０）係合部材９は、レンズホルダ６に固定された一端部９Ａと、駆動機構１０を構成する送りねじ軸１６の周面に螺合された係合突起９Ｂ２を有する他端部９Ｂと、この他端部９Ｂと一端部９Ａとの間に設けられ他端部９Ｂを送りねじ軸１６の周面に向けて付勢する板状本体９Ｃとを備えた構成としたので、装置に外部から急激な力が加わりレンズホルダ６が急激に移動して歯飛びしても、係合部材９の付勢力に抗して係合突起９Ｂ２が送りねじ軸１６のねじ山から離隔するので、係合突起９Ｂ２が破損・摩耗しづらい。そのため、係合部材９を長期に使用することができる。
【００３２】
（１１）本実施形態の記録媒体駆動装置は前述の構成のピックアップ装置１を備えたから、前述の効果を奏することができる記録媒体駆動装置を提供することができる。
【００３３】
〔実施の形態の変形〕
なお、本発明の記録媒体駆動装置は、上述の実施形態にのみ限定されるものではなく、本発明の要旨を逸脱しない範囲内において種々変更を加え得ることは勿論である。
例えば、前記実施形態では、ガイド部１２の第１ガイド部１２Ａと第２ガイド部１２Ｂとを連結する連結部１２Ｃは平面Ｌ型形状としたが、本発明では、連結部１２Ｃを直線状に形成してもよく、この連結部１２Ｃの長手方向に第２ガイド部１２Ｂが形成される構造でもよい。
【００３４】
さらに、本発明では、連結部１２Ｃを２カ所形成してもよい。つまり、２個の連結部１２Ｃの一端部をそれぞれ第１ガイド部１２Ａに連結し、これらの連結部１２Ｃの他端部を互いに接続して第２ガイド部１２Ｂに連結する構造でもよい。
また、ホルダ本体１１は第１ガイド部１２Ａの端部に形成されたが中央部でもよい。
【００３５】
さらに、前記実施形態では、ホルダ本体１１を一方のガイド軸７を挟んで駆動機構１０とは反対側に配置したが、本発明では、図１に示されるように、駆動機構１０と他方のガイド軸８との間にホルダ本体１１を配置する構成のものでもよい。
また、前記実施形態では、可動光学部品を可動レンズ５としたが、本発明では、可動光学部品は可動プリズムから構成される場合であっても適用できる。
【００３６】
［実施の形態の作用効果］
本実施形態のピックアップ装置では、固定光学部品４の中においてレーザ光の光軸に沿って移動可能に配置された可動レンズ５と、この可動レンズ５を保持するレンズホルダ６と、このレンズホルダ６を可動レンズ５の光軸Ｌに沿って進退可能に支持する一対のガイド軸７，８と、レンズホルダ６を係合部材９を介して進退動させるとともに一対のガイド軸７，８と並んで平行配置された送りねじ軸１６とを備え、係合部材９は、レンズホルダ６に固定された一端部９Ａと、送りねじ軸１６の周面に螺合された他端部９Ｂと、これらの他端部９Ｂと一端部９Ａとの間に設けられ他端部９Ｂを送りねじ軸１６の周面に向けて付勢する板状本体９Ｃとを備え、レンズホルダ６は一方のガイド軸７を案内する第１ガイド部１２Ａと他方のガイド軸８を案内する第２ガイド部１２Ｂとを備え、第１ガイド部１２Ａは、その両端部で一方のガイド軸７を支持し、係合部材の他端部９Ｂにおいて送りねじ軸１６の軸線上に位置する点を力点Ｄとし、第２ガイド部１２Ｂにおいて他方のガイド軸８の軸線上に位置する点を支点Ｃとし、第１ガイド部１２Ａにおいて一方のガイド軸７の軸線上に位置する点をそれぞれ作用点Ａ，Ｂとすると、力点Ｄと支点Ｃとを結ぶ線分Ｍは送りねじ軸１６の軸方向と直交する構成であるので、第１ガイド部１２Ａにかかる作用点の中心が線分Ｍの上に位置することになるから、作用点Ａ，Ｂに生じる力は均等となる。そのため、第１ガイド部１２Ａの片減りやレンズホルダ６の進退方向の向きに起因して起こるコジリの差異が生じることがなくなり、レンズホルダ６が円滑に移動することが可能となる。
【図面の簡単な説明】
【００３７】
【図１】従来例の概略構成を示す平面図である。
【図２】図１の要部断面図である。
【図３】本発明の一実施形態の概略構成を示す平面図である。
【図４】図３のIV-IV線矢視図である。
【図５】前記実施形態の要部断面図である。
【図６】摺動部材を示す図である。
【符号の説明】
【００３８】
１…ピックアップ装置
２…ピックアップ本体
３…レーザ光源
４…固定光学部品
５…可動レンズ（可動光学部品；第１の光学部品）
６…レンズホルダ（光学部品ホルダ）
７…一方のガイド軸（主軸）
８…他方のガイド軸（副軸）
９…係合部材
９Ａ…一端部
９Ｂ…他端部
９Ｃ…板状本体
１０…駆動機構
１１…ホルダ本体
１２…ガイド部
１２Ａ…第１ガイド部
１２Ｂ…コ字型先端部
１２Ｃ…連結部
１３…摺動部材
１３Ａ…筒状本体
１３Ｂ…係合片
１５…ステッピングモータ
１６…送りねじ軸
Ａ，Ｂ…作用点
Ｃ…支点
Ｄ…力点
【図１】
2006107587.tif 000003
【図２】
2006107587.tif 000004
【図３】
2006107587.tif 000005
【図４】
2006107587.tif 000006
【図５】
2006107587.tif 000007
【図６】
2006107587.tif 000008